【手続補正書】
【提出日】平成19年11月26日(2007.11.26)
【手続補正１】
【補正対象書類名】明細書
【補正対象項目名】特許請求の範囲
【補正方法】変更
【補正の内容】
【特許請求の範囲】
【請求項１】  液晶パネル素子と前記液晶パネル素子の制御回路を組み込んだ回路基板とから成る液晶ディスプレイを、ケース本体と当該ケース本体の開放部分を覆うカバーケース部とから成るディスプレイケース内に組み込んだ液晶ディスプレイの取付構造において、
前記液晶パネル素子を、前記カバーケース部側から視認可能に位置決め保持するパネルホルダを、前記ケース本体に一体に形成したことを特徴とする液晶ディスプレイの取付構造。
【請求項２】  前記パネルホルダは、粘着剤を介して前記液晶パネル素子を粘着支持するパネル支持部と、
前記パネル支持部の面内方向の外側に突き当てて前記液晶パネル素子を位置決めするパネル位置決め部とから成ることを特徴とする請求項１に記載の液晶ディスプレイの取付構造。
【請求項３】  前記パネル支持部は、前記液晶パネル素子の縁部の３箇所に対応して分散配置した３つのパネル支持ボス部位で構成されていることを特徴とする請求項２に記載の液晶ディスプレイの取付構造。
【請求項４】  前記パネル位置決め部は、前記液晶パネル素子の４つの角部に対応して設けた４組の位置決め片部で構成され、
前記各位置決め片部は、前記液晶パネル素子の長辺方向に突き当てた長辺位置決め片部位と、短辺方向に突き当てた短辺位置決め片部位とから成ることを特徴とする請求項２または３に記載の液晶ディスプレイの取付構造。
【請求項５】  前記回路基板を保持する基板ホルダが、前記ケース本体に一体に形成されていることを特徴とする請求項１ないし４のいずれかに記載の液晶ディスプレイの取付構造。
【請求項６】  前記基板ホルダは、前記液晶パネル素子の長辺方向の両端部を支持する一対の基板支持ボス部から成り、
前記各基板支持ボス部は、前記回路基板の位置決め孔に対応する位置決めピン部位と、前記回路基板のねじ止め用の小孔に対応するねじ止めボス部位とで一体に形成されていることを特徴とする請求項５に記載の液晶ディスプレイの取付構造。
【請求項７】  請求項１ないし６のいずれかに記載の液晶ディスプレイの取付構造を備えたことを特徴とするテープ印刷装置。
【請求項８】  前記液晶ディスプレイは、前記ディスプレイケースで外殻を形成した上蓋に組み込まれており、
前記上蓋は、装置本体の上面に配設したキーボードを開閉可能に覆っていることを特徴とする請求項７に記載のテープ印刷装置。
【手続補正２】
【補正対象書類名】明細書
【補正対象項目名】０００５
【補正方法】変更
【補正の内容】
【０００５】
【課題を解決するための手段】
本発明の液晶ディスプレイの取付構造は、液晶パネル素子と液晶パネル素子の制御回路を組み込んだ回路基板とから成る液晶ディスプレイを、ケース本体とケース本体の開放部分を覆うカバーケース部とから成るディスプレイケース内に組み込んだ液晶ディスプレイの取付構造において、液晶パネル素子を、カバーケース部側から視認可能に位置決め保持するパネルホルダを、ケース本体に一体に形成したことを特徴とする。
【手続補正３】
【補正対象書類名】明細書
【補正対象項目名】０００６
【補正方法】変更
【補正の内容】
【０００６】
この構成によれば、液晶パネル素子は、ケース本体に一体に形成されたパネルホルダに、位置決め状態で保持される。このため、液晶パネル素子を位置決めした状態で且つ押さえ部材等を必要とすることなく、ディスプレイケース（ケース本体）に直接保持することができる。また、液晶パネル素子をカバーケース部に取り付ける構造をとらなくても、液晶パネル素子をカバーケース部に十分に近づけて配置することができる。
【手続補正４】
【補正対象書類名】明細書
【補正対象項目名】００１５
【補正方法】変更
【補正の内容】
【００１５】
これらの場合、回路基板を保持する基板ホルダが、ケース本体に一体に形成されていることが、好ましい。
【手続補正５】
【補正対象書類名】明細書
【補正対象項目名】００１６
【補正方法】変更
【補正の内容】
【００１６】
この構成によれば、回路基板は、ケース本体に一体に形成された基板ホルダに保持される。このため、回路基板を液晶パネル素子とは別個にディスプレイケース（ケース本体）に保持することができ、液晶パネル素子の大きさや位置に捕われることなく、これを配置することができる。なお、回路基板は、少なくともその主要部分が、液晶パネル素子と重なって配設されていることが、好ましい。
【手続補正６】
【補正対象書類名】明細書
【補正対象項目名】００１７
【補正方法】変更
【補正の内容】
【００１７】
この場合、基板ホルダは、液晶パネル素子の長辺方向の両端部を支持する一対の基板支持ボス部から成り、各基板支持ボス部は、回路基板の位置決め孔に対応する位置決めピン部位と、回路基板のねじ止め用の小孔に対応するねじ止めボス部位とで一体に形成されていることが、好ましい。
【手続補正７】
【補正対象書類名】明細書
【補正対象項目名】００２１
【補正方法】変更
【補正の内容】
【００２１】
この場合、液晶ディスプレイは、ディスプレイケースで外殻を形成した上蓋に組み込まれており、上蓋は、装置本体の上面に配設したキーボードを開閉可能に覆っていることが、好ましい。
【手続補正８】
【補正対象書類名】明細書
【補正対象項目名】００２３
【補正方法】変更
【補正の内容】
【００２３】
【発明の実施の形態】
以下、添付の図面を参照して、本発明の一実施形態に係るテープ印刷装置および液晶ディスプレイの取付構造について説明する。このテープ印刷装置は、剥離付きの印刷テープに所望の文字や図形などを印刷すると共に、印刷テープの印刷済み部分を所定の長さに切断して、ラベルを作成するものである。
【手続補正９】
【補正対象書類名】明細書
【補正対象項目名】００２４
【補正方法】変更
【補正の内容】
【００２４】
図１はテープ印刷装置の外観斜視図であり、図２は上蓋を開放したテープ印刷装置の外観斜視図である。これらの図に示すように、テープ印刷装置１は、外殻を装置ケース３で構成した装置本体２と、装置本体２に着脱自在に装着されたテープカートリッジ４とから成り、印刷対象物となる印刷テープ５は、テープカートリッジ４に収容されている。装置本体２の左後部上面には窓付きの開閉蓋６が配設され、開閉蓋６の内部に形成したカートリッジ収納部７に、上記のテープカートリッジ４が着脱自在に装着されている。また、開閉蓋６の右隣りには、開閉蓋６を開放操作する操作ボタン８が配設されている。
【手続補正１０】
【補正対象書類名】明細書
【補正対象項目名】００３６
【補正方法】変更
【補正の内容】
【００３６】
すなわち、上ガラス基板４５に対し下ガラス基板４６は、一方の長辺と一方の短辺とが長く形成され、この下ガラス基板４６の延長縁部４６ａに入力端子が形成されている。そして、この入力端子と回路基板４２の出力端子とが、上記多数のリード線４３より接続されている。なお、図中の符号４９は、回路基板４２の突出部分に設けたコネクタであり、回路基板４２はこのコネクタ４９を介して本体側のＣＰＵに接続されている。また、液晶パネル素子４１の反射構造やバックライト構造は、その説明を省略した。
【手続補正１１】
【補正対象書類名】明細書
【補正対象項目名】００４０
【補正方法】変更
【補正の内容】
【００４０】
一方、基板ホルダ５２は、パネルホルダ５１の面内方向の内側に位置しており、蓋部ケース３４のケース底３４ａに一体に突出形成され、回路基板４２の長辺方向の両端部を支持する一対の基板支持ボス部６０，６０で構成されている。各基板支持ボス部６０は、回路基板４２の位置決め孔４２ｂに対応する位置決めピン部位６０ａと、回路基板４２のねじ止め用の小孔４２ｃに対応するねじ止めボス部位６０ｂとで一体に形成されている。
【手続補正１２】
【補正対象書類名】図面
【補正対象項目名】図５
【補正方法】変更
【補正の内容】
【図５】
2002174807.tif 000001